(57)【要約】【課題】１つのコントロールユニットで異なった種類のカメラヘッドを運用することを目的とする。【課題を解決するための手段】撮像部（カメラヘッド）とケーブルと制御部（カメラコントロールユニット）からなる撮像装置において、前記ケーブルの種類を検出する検出手段、検出手段を制御する制御手段とを前記制御部内に有し、前記制御部の電源を起動すると、前記ケーブルの種類を検出し該検出結果から使用する前記ケーブルを切り替え、低い直流電源電圧を撮像部に送り、前記ケーブル状態（オープン、ショート、ケーブル長）の検出を行い該検出結果を表示し、伝送状態の確認も行い該確認結果を表示することを特徴とする撮像装置の制御部。【選択図】図１
2012004633.tif 000002
【特許請求の範囲】
【請求項１】
撮像部（カメラヘッド）とケーブルと制御部（カメラコントロールユニット）からなる撮像装置において、前記ケーブルの種類を検出する検出手段、検出手段を制御する制御手段とを前記制御部内に有し、前記制御部の電源を起動すると、前記ケーブルの種類を検出し該検出結果から使用する前記ケーブルを切り替え、低い直流電源電圧を撮像部に送り、前記ケーブル状態（オープン、ショート、ケーブル長）の検出を行い該検出結果を表示し、伝送状態の確認も行い該確認結果を表示することを特徴とする撮像装置の制御部。
【発明の詳細な説明】
【技術分野】
【０００１】
本発明は、撮像装置に用いる制御部に関するものである。
【背景技術】
【０００２】
従来、テレビジョンカメラシステムでは撮像部（カメラヘッド、カメラ）と接続された制御部（カメラコントロールユニットCamera  Control  Unit:CCU）との間で本線映像信号，送り返し映像信号，音声信号，コントロール用シリアルデータ信号，及び電源の送受信の時分割双方向伝送を３重同軸（トライアックス（Triax  Cable：TRX）ケーブル１本の伝送路で行う方法をデジタルトライアックスシステムと称する（特許文献１）。
【０００３】
有効走査線７２０本と有効走査線１０８０本のハイビジョン（ＨＤＴＶ）では、本線映像信号，送り返し映像信号，音声信号，コントロール用シリアルデータ信号の送受信伝送と電源供給送を光複合（Optical  Fiber：OPT）ケーブルで用いる方が一般である。
また、一般にカメラコントロールユニットをリモートコントロールユニット（ＲＣＵ）やセットアップコントロールユニット（ＳＣＵ）で制御している。
【０００４】
従来技術の制御部と撮像部とを含む撮像装置の全体構成を示すブロック図の図１で従来技術の撮像装置を説明する。
カメラ１０１とカメラコントロールユニット１０３を光複合ケーブル１０２で接続したテレビジョンカメラシステムでは、カメラコントロールユニット１０３の確認映像（ＰＩＸ）出力を確認映像（ＰＩＸ）モニタ（モニタ）１０４に接続してキャラクタ表示させることにより、システムの設定状態を確認し、リモートコントロールユニット１０５により、システムの設定（ＨＤＴＶ／ＮＴＳＣ／ＰＡＬ等）の変更を行なっている。
【０００５】
光ケーブルで接続する場合とトライアックスケーブルで接続する場合があり、その場合、信号、電源の伝送方式がことなるため、カメラヘッド、コントロールユニットともに専用のものを使用する構成が通例であった。
【先行技術文献】
【特許文献】
【０００６】
【特許文献１】特開平７−２０３３９９号公報
【発明の概要】
【発明が解決しようとする課題】
【０００７】
従来の方式では光ケーブルで接続する場合とトライアックスケーブルで接続する場合があり、その場合、信号、電源の伝送方式がことなるため、それぞれに、専用のコントロールユニットが必要であった。
【０００８】
１つのコントロールユニットで異なった種類のカメラヘッドを運用することを目的とする。
【課題を解決するための手段】
【０００９】
本発明は、上記の目的を解決するため、撮像部（カメラヘッド）とケーブルと制御部（カメラコントロールユニット）からなる撮像装置において、前記ケーブルの種類を検出する検出手段、検出手段を制御する制御手段とを前記制御部内に有し、前記制御部の電源を起動すると、前記ケーブルの種類を検出し該検出結果から使用する前記ケーブルを切り替え、低い直流電源電圧を撮像部に送り、前記ケーブル状態（オープン、ショート、ケーブル長）の検出を行い該検出結果を表示し、伝送状態の確認も行い該確認結果を表示することを特徴とする撮像装置の制御部である。
【発明の効果】
【００１０】
本発明によれば、１つのコントロールユニットで異なった種類のカメラヘッドを運用するが可能となる。
【図面の簡単な説明】
【００１１】
【図１】本発明の一実施例の制御部と撮像部とを含む撮像装置の全体構成を示すブロック図
【図２】従来技術のトライアックスケーブルと制御部と撮像部とを含む撮像装置の全体構成を示すブロック図
【図３】従来技術の光ケーブルと制御部と撮像部とを含む撮像装置の全体構成を示すブロック図
【図４】本発明の一実施例の制御部と撮像部とを含む撮像装置の伝送ケーブル切替動作を示すフローチャート
【発明を実施するための形態】
【実施例１】
【００１２】
本発明による撮像装置の一実施例を本発明の一実施例の制御部と撮像部とを含む撮像装置の示すブロック図の図１を用いて説明する。
【００１３】
図１において、POWER SWの１０３をONにし、電源を投入するとスイッチの１０４，１０５がDC36V側になり、また、スイッチの１０６が，トライアックスケーブルコネクタ（TRX CN）の１０７側になり、カメラヘッド部1に準備動作の低圧直流電源が送られる。送られた電源はレギュレータの１１１で12Vに変換され、内部電源として使用される。この時、カメラコントロール部では、電源保護検出部１１８で過電流、無電流の検出が行われ、また、ケーブル状態検出部１１９でケーブルのオープン、ショートの検出を行い、異常時には、エラーメッセージを表示する。
カメラヘッド部１の１１０に正常に電源が送られた場合、デジタルプロセス部（ＤＳＰ：Digital  Signal  Processor）の１１７が動作し、コントロールユニット部の１０１と伝送が始まる。往復遅延測定によりトライアックスケーブル長を測定しトライアックスケーブル長を表示する。
【００１４】
ケーブルが接続されていないと検出した場合、次にスイッチ１０６を光ケーブルコネクタ（OPT  CN）の１２０側にし、カメラヘッド部２の１３２に準備動作の低圧直流電源を供給する。カメラヘッド部２の１３２でも同様に送られた電源はレギュレータの１３３で12Vに変換され、内部電源として使用される。
カメラヘッド部２の１３２に正常に電源が送られた場合、デジタルプロセス部の１４７が動作し、コントロールユニット部の１０１と伝送が始まる。往復遅延測定により光ケーブル長を測定し光ケーブル長を表示する。
また、カメラヘッド部２の１３２では電源が正常に受信できたとして、音声データに5V電源を重畳し、カメラコントロール部の１０２に送信する。カメラコントロール部の１０２ではカメラヘッド部の１３２より送られてきた信号がＡＤＣ（Analog  Digital  Converter）の１４０を通り、ＣＰＵ（central  Process  Unit）の１３９で受信される。この電圧が正常に受け取れた場合、カメラヘッド部２の１３２と接続されていると判定しても良い。
しかし、カメラヘッド部２の伝送信号が受け取れなかった場合は、ケーブルが外れていると判定し、エラーメッセージを表示する。電源起動時は、前回の状態を保持しておき、そのとき接続されていたコネクタ側から検出を始める。
【００１５】
これらの動作を、本発明の一実施例の制御部と撮像部とを含む撮像装置の伝送ケーブル切替動作を示すフローチャートの図４を用いて説明する。
【００１６】
図４において、１の電源起動Start(From  CCU  PWR  ON)で始まり、２の接続ケーブル確認Mode  Check  TRX（Triax）/OPT（Optical  Fiber）で分岐し、トライアックスケーブルなら３の準備（Stand-Bye）動作の低圧直流電源の起動STBY  PWR  ONを行い、４のTRX  Cable  Checkを行い、ＮＧなら、１０のTRX  Cable  Short  Checkを行い、ＮＯなら１４のError  Message“TRX  Cable  Open”を表示し３のSTBY  PWR  ONに戻る。１０のTRX  Cable  Short  CheckがＹＥＳなら１１のError  Message“TRX  Cable  Short”を表示し３のSTBY  PWR  ONに戻る。
４のTRX  Cable  CheckがOKなら５の往復遅延測定によるトライアックスケーブル長測定と表示TRX  Cable  Length（Shuttle  Delay）を行い、６のカメラヘッドへの２３０Ｖ交流電源の起動CAM  AC  PWR  ONを行い、７のカメラヘッドへの２３０Ｖ交流電源の確認CAM  AC  PWR  CHECKを行い、ＮＧなら１２ののカメラヘッドへの２３０Ｖ交流電源の遮断CAM  PWR  OFFを行い３のSTBY  PWR  ONに戻る。７のCAM  AC  PWR  CHECKがＯＫなら、８のTransmission  Checkを行い、ＮＧなら、１３はError  Message“TRX  Transmission  Error”を表示し３のSTBY  PWR  ONに戻る。８のTransmission  CheckがＯＫなら、９のEND(Go  to  MAIN  Operation)となり、本願の動作は終了し、通常動作となる。
【００１７】
また、２のMode  Check  TRX/OPTが光ケーブルOPTなら、１５のSTBY  PWR  ONを行い、１６のOPT  Cable  Checkを行い、ＮＧなら、２０のOPT  Cable  Short  Checkを行い、ＮＯなら２４のError  Message“OPT  Cable  Short”を表示し１５のSTBY  PWR  ONに戻る。２０のOPT  Cable  Short  CheckがＹＥＳなら２１のError  Message“OPT  Cable  Open”を表示し１５のSTBY  PWR  ONに戻る。１６のOPT  Cable  CheckがＯＫなら、２５の往復遅延測定による光ケーブル長測定測定と表示OPT  Cable  Length（Shuttle  Delay）を行い、１７のCAM  AC  PWR  ONを行い、１８のCAM  AC  PWR  CHECKを行い、ＮＧなら、２２のCAM  PWR  OFFを行い、１５のSTBY  PWR  ONに戻る。１８のCAM  AC  PWR  CHECKがＯＫなら、１９のTransmission  Checkを行い、ＮＧなら、２３のError  Message“OPT  Error”を表示し、１９のTransmission  Checkに戻る。１９のTransmission  CheckがＯＫなら、９のEND(Go  to  MAIN  Operation)となり、本願の動作は終了し、通常動作となる。
【００１８】
以上説明したように本発明によれば、1つのカメラコントロールユニット(CCU)で異なる種類のカメラヘッド（光（Optical  Fiber）、トライアックス（Triax））を使用することが可能となる。
【符号の説明】
【００１９】
１０１：AC IN、１０２：カメラコントロールユニット、１０３：POWER SW、
１０４，１０５，１０６：スイッチ（ＳＷ）、
１０７，１０９：トライアックスケーブルコネクタ（TRX CN）、
１０８：トライアックスケーブル（TRX CABLE）、
１１０：カメラヘッド部１、１３２：カメラヘッド部２、
１１１，１３３：レギュレータ、
１１２，１３４:電圧検出部、
１１３，１４６：ケーブル補償部、
１１４，１４５：イコライザ（EQ）、
１１５，１４４:デシリアライザ（S/P）、
１１６，１４３:シリアライザ（P/S）、
１１７，１４２，１４７:デジタルプロセス部（ＤＳＰ）、
１１８:電源保護検出部、
１１９：ケーブル状態検出部、
１２０，１２２：光ケーブルコネクタ（OPT  CN）
１２１：光ケーブル
１３９:ＣＰＵ、
１４０：ＡＤＣ
【図１】
2012004633.tif 000003
【図２】
2012004633.tif 000004
【図３】
2012004633.tif 000005
【図４】
2012004633.tif 000006